(57)【要約】本発明は、無線通信システムに関する。より具体的に、本発明は、無線通信システムでのバッファ状態報告及びトリガリング方法並びに装置に関し、前記方法は、前記第１基地局にデータを伝送する第１論理チャネルセット及び前記第２基地局にデータを伝送する第２論理チャネルセットを含む複数の論理チャネルセットを設定するステップであって、前記第１及び第２論理チャネルセットのそれぞれは１つ以上の論理チャネルを含む、ステップ、前記第１論理チャネルセットに属する第１論理チャネルに関するデータを受信するステップ、及び前記第１論理チャネルが、前記第１論理チャネルセットにおいてデータが送信利用可能な論理チャネルのうち最も高い優先順位を有する場合、前記第１基地局へのバッファ状態報告をトリガするステップを含む。【選択図】図１３
2016529854.tif 000002
【特許請求の範囲】
【請求項１】
第１基地局及び第２基地局を含む無線通信システムで動作する端末のための方法であって、
前記第１基地局にデータを伝送する第１論理チャネルセット及び前記第２基地局にデータを伝送する第２論理チャネルセットを含む複数の論理チャネルセットを設定するステップであって、前記第１及び第２論理チャネルセットのそれぞれは１つ以上の論理チャネルを含む、ステップと、
前記第１論理チャネルセットに属する第１論理チャネルに関するデータを受信するステップと、
前記第１論理チャネルが、前記第１論理チャネルセットにおいてデータが送信利用可能な論理チャネルのうち最も高い優先順位を有する場合、前記第１基地局へのバッファ状態報告をトリガするステップとを含む、方法。
【請求項２】
前記第１論理チャネルは、前記第２論理チャネルセットに属する第２論理チャネルよりも低い優先順位を有する、請求項１に記載の方法。
【請求項３】
アップリンクデータが前記第１基地局に対して送信利用可能になると、前記第１基地局に前記バッファ状態報告を伝送するステップをさらに含む、請求項１に記載の方法。
【請求項４】
前記第１論理チャネルセットは１つ以上の論理チャネルグループを含み、前記第１論理チャネルは、前記第１論理チャネルセットの前記論理チャネルグループのいずれか１つに属し、前記データが送信利用可能な論理チャネルのうち最も高い優先順位を有する、請求項１に記載の方法。
【請求項５】
第１基地局及び第２基地局を含む無線通信システムの端末であって、
無線周波数モジュールと、
前記無線周波数モジュールを制御するように構成されたプロセッサとを含み、
前記プロセッサは、前記第１基地局にデータを伝送する第１論理チャネルセット及び前記第２基地局にデータを伝送する第２論理チャネルセットを含む複数の論理チャネルセットを設定するように構成され、前記第１及び第２論理チャネルセットのそれぞれは１つ以上の論理チャネルを含み、前記プロセッサは、前記第１論理チャネルセットに属する第１論理チャネルに関するデータを受信し、前記第１論理チャネルが、前記第１論理チャネルセットにおいてデータが送信利用可能な論理チャネルのうち最も高い優先順位を有する場合、前記第１基地局へのバッファ状態報告をトリガするように構成された、端末。
【請求項６】
前記第１論理チャネルは、前記第２論理チャネルセットに属する第２論理チャネルよりも低い優先順位を有する、請求項５に記載の端末。
【請求項７】
前記プロセッサは、アップリンクデータが前記第１基地局に対して送信利用可能になると、前記第１基地局に前記バッファ状態報告を伝送するようにさらに構成された、請求項５に記載の端末。
【請求項８】
前記第１論理チャネルセットは１つ以上の論理チャネルグループを含み、前記第１論理チャネルは、前記第１論理チャネルセットの前記論理チャネルグループのいずれか１つに属し、前記データが送信利用可能な論理チャネルのうち最も高い優先順位を有する、請求項５に記載の端末。
【発明の詳細な説明】
【技術分野】
【０００１】
本発明は、無線通信システムに係り、より詳細には、バッファ状態の報告及びトリガリング方法並びにそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末にダウンリンクまたはアップリンク送信サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ；ＤＬ）データに対して、基地局は、ダウンリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して、基地局は、アップリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
本発明の課題は、二重接続性でのアップリンク伝送方法及び装置に存在する問題点を解決するために創案されたものである。本発明で達成しようとする技術的課題は、以上で言及した技術的課題に制限されず、言及していない他の技術的課題は、以下の記載から、本発明の属する技術分野における通常の知識を有する者に明確に理解されるであろう。
【課題を解決するための手段】
【０００８】
本発明の課題を解決するための無線通信システムの装置の動作のための方法であって、前記方法は、前記第１基地局にデータを伝送する第１論理チャネルセット及び前記第２基地局にデータを伝送する第２論理チャネルセットを含む複数の論理チャネルセットを設定するステップであって、前記第１及び第２論理チャネルセットのそれぞれは１つ以上の論理チャネルを含む、ステップ；前記第１論理チャネルセットに属する第１論理チャネルに関するデータを受信するステップ；及び前記第１論理チャネルが、前記第１論理チャネルセットにおいてデータが送信利用可能な論理チャネルのうち最も高い優先順位を有する場合、前記第１基地局へのバッファ状態報告をトリガするステップを含む。
【０００９】
本発明の他の側面の無線通信システムの装置は、無線周波数（Ｒａｄｉｏ  Ｆｒｅｑｕｅｎｃｙ、ＲＦ）モジュール；及び前記無線周波数モジュールを制御するように構成されたプロセッサを含み、前記プロセッサは、前記第１基地局にデータを伝送する第１論理チャネルセット及び前記第２基地局にデータを伝送する第２論理チャネルセットを含む複数の論理チャネルセットを設定するように構成され、前記第１及び第２論理チャネルセットのそれぞれは１つ以上の論理チャネルを含み、前記プロセッサは、前記第１論理チャネルセットに属する第１論理チャネルに関するデータを受信し、前記第１論理チャネルが、前記第１論理チャネルセットにおいてデータが送信利用可能な論理チャネルのうち最も高い優先順位を有する場合、前記第１基地局へのバッファ状態報告をトリガするように構成される。
【００１０】
好ましくは、前記第１論理チャネルは、前記第２論理チャネルセットに属する第２論理チャネルよりも低い優先順位を有する。
【００１１】
好ましくは、前記方法は、アップリンクデータが、前記第１基地局に対して送信利用可能になると、前記第１基地局に前記バッファ状態報告を伝送するステップをさらに含む。
【００１２】
好ましくは、前記第１論理チャネルセットは１つ以上の論理チャネルグループを含み、前記第１論理チャネルは、前記第１論理チャネルセットの前記論理チャネルグループのいずれか１つに属し、前記データが送信利用可能な論理チャネルのうち最も高い優先順位を有する。
【００１３】
本発明について前述した一般的な説明と後述する詳細な説明は例示的なものであり、請求項に記載された発明に対する追加的な説明のためのものである。
【発明の効果】
【００１４】
本発明によれば、無線通信システムにおいてバッファ状態の報告及びトリガリングを効率的に行うことができる。特に、二重接続性（ｄｕａｌ  ｃｏｎｎｅｃｔｉｖｉｔｙ）システムにおいて、端末は、各基地局に各送信利用可能なデータ量を報告及びトリガすることができる。
【００１５】
本発明で得られる効果は、以上で言及した効果に制限されず、言及していない別の効果は、添付の図面と共に、以下の記載から、本発明の属する技術の分野における通常の知識を有する者にさらに明確に理解されるであろう。
【図面の簡単な説明】
【００１６】
本明細書に添付される図面は、本発明に対する理解を提供するためのもので、本発明の様々な実施形態を示し、明細書の記載と共に本発明の原理を説明するためのものである。
【００１７】
【図１】図１は、無線通信システムの一例としてＥ−ＵＭＴＳネットワーク構造を概略的に示す図である。
【００１８】
【図２Ａ】図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示すブロック図であり、図２Ｂは、一般的なＥ−ＵＴＲＡＮとＥＰＣの構造を示すブロック図である。
【図２Ｂ】図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示すブロック図であり、図２Ｂは、一般的なＥ−ＵＴＲＡＮとＥＰＣの構造を示すブロック図である。
【００１９】
【図３】図３は、３ＧＰＰ無線接続ネットワーク規格に基づいた端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）構造を示す図である。
【００２０】
【図４】図４は、Ｅ−ＵＭＴＳシステムで用いられる物理チャネルの構造を例示する図である。
【００２１】
【図５】図５は、搬送波集成を示す図である。
【００２２】
【図６】図６は、マスターセルグループ（Ｍａｓｔｅｒ  Ｃｅｌｌ  Ｇｒｏｕｐ、ＭＣＧ）と補助セルグループ（Ｓｅｃｏｎｄａｒｙ  Ｃｅｌｌ  Ｇｒｏｕｐ、ＳＣＧ）との間の二重接続性（ｄｕａｌ  ｃｏｎｎｅｃｔｉｖｉｔｙ）に対する概念図である。
【００２３】
【図７Ａ】図７Ａは、二重接続性に関連する基地局の制御平面（Ｃｏｎｔｒｏｌ  Ｐｌａｎｅ、Ｃ−Ｐｌａｎｅ）接続性の概念図であり、図７Ｂは、二重接続性に関連する基地局のユーザ平面（Ｕｓｅｒ  Ｐｌａｎｅ、Ｕ−Ｐｌａｎｅ）接続性の概念図である。
【図７Ｂ】図７Ａは、二重接続性に関連する基地局の制御平面（Ｃｏｎｔｒｏｌ  Ｐｌａｎｅ、Ｃ−Ｐｌａｎｅ）接続性の概念図であり、図７Ｂは、二重接続性に関連する基地局のユーザ平面（Ｕｓｅｒ  Ｐｌａｎｅ、Ｕ−Ｐｌａｎｅ）接続性の概念図である。
【００２４】
【図８】図８は、二重接続性のための無線プロトコル構造に対する概念図である。
【００２５】
【図９】図９は、ダウンリンクに対するＬＴＥプロトコル構造の概略図である。
【００２６】
【図１０】図１０は、３つの互いに異なるアップリンクグラント（ｇｒａｎｔ）に対する２つの論理チャネルの優先順位化に対する図である。
【００２７】
【図１１】図１１は、バッファ状態及び残余−電力（ｐｏｗｅｒ−ｈｅａｄｒｏｏｍ）報告のシグナリングに対する図である。
【００２８】
【図１２】図１２は、二重接続性のための無線プロトコル構造の概念図である。
【００２９】
【図１３】図１３及び図１４は、本発明の実施例に係るそれぞれの基地局に対するバッファ状態のトリガリング及び報告に対する概念図である。
【図１４】図１３及び図１４は、本発明の実施例に係るそれぞれの基地局に対するバッファ状態のトリガリング及び報告に対する概念図である。
【００３０】
【図１５】図１５は、本発明の実施例に係る通信装置のブロック図である。
【発明を実施するための形態】
【００３１】
（発明を実施するための最良の形態）
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ−Ｔｅｒｍ  Ｅｖｏｌｕｔｉｏｎ）は、ＵＭＴＳを規格化する３ＧＰＰによって議論中にある。
【００３２】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位−レベル要求であって、ビット（ｂｉｔ）当たりの費用減少、増加したサービス可用性、周波数帯域の柔軟性、単純な構造、開放型インターフェース、及び端末の適切な電力消耗を要求する。
【００３３】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００３４】
本明細書は、ＬＴＥシステム及びＬＴＥ−Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ−ＦＤＤ方式又はＴＤＤ方式にも容易に変形して適用することができる。
【００３５】
図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ−ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００３６】
図２Ａに示したように、Ｅ−ＵＭＴＳ網は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ−ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ−ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００３７】
本明細書において、「ダウンリンク（ｄｏｗｎｌｉｎｋ）」は、ｅＮＢ２０から端末１０への通信を称し、「アップリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００３８】
図２Ｂは、一般的なＥ−ＵＴＲＡＮと一般的なＥＰＣの構造を示すブロック図である。
【００３９】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００４０】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００４１】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー−ユーザ（Ｐｅｒ−ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、ダウンリンクでの送信（Ｔｒａｎｓｐｏｒｔ）レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００４２】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００４３】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、アップリンク及びダウンリンクの全てにおける各ＵＥ１０のための動的リソース割り当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非−接続層（Ｎｏｎ−Ａｃｃｅｓｓ  Ｓｔｒａｔｕｍ、ＮＡＳ）シグナリングの暗号化及び無欠性保護などの各機能を行うことができる。
【００４４】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング−ゲートウェイ（ｓｅｒｖｉｎｇ−ｇａｔｅｗａｙ、Ｓ−ＧＷ）、及びパケットデータネットワーク−ゲートウェイ（Ｐａｃｋｅｔ  Ｄａｔａ  Ｎｅｔｗｏｒｋ−Ｇａｔｅｗａｙ、ＰＤＮ−ＧＷ）を含む。ＭＭＥは、主に各端末の移動性を管理する目的で用いられる接続及び可用性に対する情報を有する。Ｓ−ＧＷは、Ｅ−ＵＴＲＡＮを終端点として有するゲートウェイで、ＰＤＮ−ＧＷは、パケットデータネットワーク（ＰＤＮ）を終端点として有するゲートウェイである。
【００４５】
図３は、３ＧＰＰ無線接続網規格を基盤にした端末とＥ−ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００４６】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。前記伝送チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００４７】
第２の層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ送信をサポートする。ＲＬＣ層の機能は、ＭＡＣ内部の機能ブロックで具現することもできる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００４８】
第３の層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２の層によって提供されるサービスを意味する。このために、端末とネットワークのＲＲＣ層は、互いにＲＲＣメッセージを交換する。
【００４９】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域でダウンリンク又はアップリンク送信サービスを提供するように設定することができる。異なる各セルは、異なる各帯域を提供するように設定することもできる。
【００５０】
Ｅ−ＵＴＲＡＮから端末への送信のためのダウンリンク伝送チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するためのダウンリンク共有チャネル（Ｓｈａｒｅｄ  Ｃｈａｎｎｅｌ、ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Ｍｕｌｔｉｃａｓｔ  Ｃｈａｎｎｅｌ）を介して送信することもできる。
【００５１】
端末からネットワークにデータを送信するアップリンク伝送チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信するアップリンクＳＣＨ（Ｓｈａｒｅｄ  Ｃｈａｎｎｅｌ）とがある。伝送チャネルの上位にあり、伝送チャネルにマッピングされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００５２】
図４は、Ｅ−ＵＭＴＳシステムで使用する物理チャネル構造の一例を示した図である。物理チャネルは、時間軸上にある多数のサブフレームと、周波数軸上にある多数のサブキャリア（Ｓｕｂ−ｃａｒｒｉｅｒ）とで構成される。ここで、一つのサブフレーム（Ｓｕｂ−ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当のサブフレームの特定シンボル（例えば、１番目のシンボル）の特定サブキャリアを用いることができる。図４には、Ｌ１／Ｌ２制御情報伝送領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは、０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である伝送時間間隔（Ｔｒａｎｓｍｉｓｓｉｏｎ  Ｔｉｍｅ  Ｉｎｔｅｒｖａｌ、ＴＴＩ）は１ｍｓである。
【００５３】
基地局と端末は、一般に特定制御信号又は特定サービスデータを除いては、伝送チャネルであるＤＬ−ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコーディング（ｄｅｃｏｄｉｎｇ）しなければならないのかに対する情報などは、ＰＤＣＣＨに含まれて送信される。
【００５４】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例えば、周波数位置）及び「Ｃ」という送信形式情報（例えば、伝送ブロックサイズ、変調方式、コーディング情報など）を用いて送信されるデータに関する情報が特定サブフレームを通じて送信されると仮定する。この場合、セル内の端末は、自分が有しているＲＮＴＩ情報を用いてＰＤＣＣＨをモニタリングし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００５５】
図５は、搬送波集成（ｃａｒｒｉｅｒ  ａｇｇｒｅｇａｔｉｏｎ）を示す図である。
【００５６】
図５を参照して多重搬送波を支援する搬送波集成技術について説明する。前述したように、搬送波集成によって、既存の無線通信システム（例えば、ＬＴＥシステム）で定義されている帯域幅単位（例えば、２０ＭＨｚ）の搬送波（構成搬送波、ｃｏｍｐｏｎｅｎｔ  ｃａｒｒｉｅｒｓ、ＣＣｓ）を最大５個まで束ねて最大１００ＭＨｚまでのシステム帯域幅を支援することができる。搬送波集成に用いられる各構成搬送波の帯域幅のサイズは同一でも異なってもよい。また、それぞれの構成搬送波は異なる周波数帯域（又は、中心周波数）を有する。また、各構成搬送波は連続した周波数帯域上に存在してもよいが、不連続した周波数帯域上に存在する構成搬送波が搬送波集成に用いられてもよい。また、搬送波集成技術において、上りリンクと下りリンクの帯域幅のサイズは対称的に割り当てられてもよく、非対称的に割り当てられてもよい。
【００５７】
搬送波集成に用いられる多重搬送波（構成搬送波）は、主構成搬送波（Ｐｒｉｍａｒｙ  Ｃｏｍｐｏｎｅｎｔ  Ｃａｒｒｉｅｒ；ＰＣＣ）及び補助構成搬送波（Ｓｅｃｏｎｄａｒｙ  Ｃｏｍｐｏｎｅｎｔ  Ｃａｒｒｉｅｒ；ＳＣＣ）とに分類できる。ＰＣＣは、Ｐセル（Ｐｃｅｌｌ；Ｐｒｉｍａｒｙ  Ｃｅｌｌ）と呼び、ＳＣＣは、Ｓセル（ＳＣｅｌｌ；Ｓｅｃｏｎｄａｒｙ  Ｃｅｌｌ）と呼ぶこともできる。主構成搬送波は、基地局が端末とトラフィック及び制御シグナリングを交換するために用いる搬送波のことを指す。制御シグナリングには、構成搬送波の付加、主構成搬送波に対する設定、上りリンクグラント（ＵＬ  ｇｒａｎｔ）又は下りリンク割り当て（ＤＬ  ａｓｓｉｇｎｍｅｎｔ）などを含むことができる。基地局で複数個の構成搬送波を用いることができるが、該基地局に属した端末は１つの主構成搬送波のみを有するものと設定されてもよい。仮に端末が単一搬送波モードで動作する場合には主構成搬送波が用いられる。このため、主構成搬送波は、独立した利用も可能となるように、基地局と端末間のデータ及び制御シグナリングの交換に必要な全ての要求事項を充足するように設定されなければならない。
【００５８】
一方、補助構成搬送波は、送受信されるデータ要求量などによって活性化又は非活性化されてもよい付加的な構成搬送波のことを指す。補助構成搬送波は、基地局から受信される特定命令及び規則にしたがってのみ用いられるように設定されてもよい。また、補助構成搬送波は、付加的な帯域幅を支援するために主構成搬送波とともに用いられるように設定されてもよい。活性化された補助構成搬送波を介して、基地局から端末に上りリンクグラント又は下りリンク割り当てのような制御信号が送信されてもよく、端末から基地局にチャネル品質指示子（Ｃｈａｎｎｅｌ  Ｑｕａｌｉｔｙ  Ｉｎｄｉｃａｔｏｒ；ＣＱＩ）、プリコーディング行列指示子（Ｐｒｅｃｏｄｉｎｇ  Ｍａｔｒｉｘ  Ｉｎｄｅｘ；ＰＭＩ）、ランク指示子（Ｒａｎｋ  Ｉｎｄｉｃａｔｏｒ；ＲＩ）、サウンディング参照信号（Ｓｏｕｎｄｉｎｇ  Ｒｅｆｅｒｅｎｃｅ  Ｓｉｇｎａｌ；ＳＲＳ）などの上りリンク制御信号が送信されてもよい。
【００５９】
端末へのリソース割り当ては、主構成搬送波及び複数個の補助構成搬送波の範囲を有することができる。多重搬送波集成モードにおいて、システムは、システム負荷（すなわち、静的／動的負荷バランシング）、ピークデータレート、又はサービス品質要求に基づいて、下りリンク及び／又は上りリンクに対して非対称的に補助構成搬送波を端末に割り当てることもできる。搬送波集成技術を用いるとき、構成搬送波に関する設定は、ＲＲＣ接続手順（ＲＲＣ  ｃｏｎｎｅｃｔｉｏｎ  ｐｒｏｃｅｄｕｒｅ）の後に基地局から端末に提供される。ＲＲＣ接続は、ＳＲＢを介して端末のＲＲＣ層とネットワーク間で交換されるＲＲＣシグナリングに基づいて端末が無線リソース割り当てを受けることを意味する。端末と基地局とのＲＲＣ接続手順の後に、端末は基地局から主構成搬送波及び補助構成搬送波に関する設定情報を受け取ることができる。補助構成搬送波に関する設定情報は、補助構成搬送波の付加／削除（又は、活性化／非活性化）を含むことができる。したがって、基地局と端末間に補助構成搬送波を活性化させたり既存の補助構成搬送波を非活性化させたりするためには、ＲＲＣシグナリング及びＭＡＣ制御要素（ＭＡＣ  Ｃｏｎｔｒｏｌ  Ｅｌｅｍｅｎｔ）の交換が行われる必要がある。
【００６０】
補助構成搬送波の活性化又は非活性化は、サービス品質（ＱｏＳ）、搬送波の負荷条件及び他の要因に基づいて基地局で決定することができる。基地局は、下りリンク／上りリンクに対する指示類型（活性化／非活性化）及び補助構成搬送波リストなどの情報を含む制御メッセージを用いて端末に補助構成搬送波の設定を指示することができる。
【００６１】
図６は、マスターセルグループ（Ｍａｓｔｅｒ  Ｃｅｌｌ  Ｇｒｏｕｐ、ＭＣＧ）と補助セルグループ（Ｓｅｃｏｎｄａｒｙ  Ｃｅｌｌ  Ｇｒｏｕｐ、ＳＣＧ）間の二重接続性（ｄｕａｌ  ｃｏｎｎｅｃｔｉｖｉｔｙ）を示す概念図である。
【００６２】
二重接続性は、端末がマスターｅＮＢ（ＭｅＮＢ）と補助ｅＮＢ（ＳｅＮＢ）とに同時に接続可能であるということを意味する。ＭＣＧは、ＭｅＮＢと関連付いているサービングセルのグループであり、ＰＣｅｌｌ及び付加的に一つ以上のＳＣｅｌｌを含む。また、ＳＣＧは、ＳｅＮＢと関連付いているサービングセルのグループであり、特別（ｓｐｅｃｉａｌ）ＳＣｅｌｌ及び付加的に一つ以上のＳＣｅｌｌを含む。ＭｅＮＢは、少なくともＳ１−ＭＭＥ（制御平面のためのＳ１）を終結するｅＮＢであり、ＳｅＮＢは、ＭｅＮＢではないが、端末のための追加の無線リソースを提供するｅＮＢである。
【００６３】
二重接続性によって、ハンドオーバー（ｈａｎｄｏｖｅｒ）可能性を下げるために、ＭＣＧ内のスケジューリング無線ベアラー（Ｓｃｈｅｄｕｌｉｎｇ  Ｒａｄｉｏ  Ｂｅａｒｅｒ、ＳＲＢ）又は他のＤＲＢを維持すると同時に、高い処理量を提供するために、いくつかのデータ無線ベアラー（Ｄａｔａ  Ｒａｄｉｏ  Ｂｅａｒｅｒ、ＤＲＢ）はＳＣＧにオフロード（ｏｆｆｌｏａｄ）されてもよい。ＭＣＧは、周波数ｆ１でＭｅＮＢによって作動し、ＳＣＧは、周波数ｆ２でＳｅＮＢによって作動する。周波数ｆ１及びｆ２は同一であってもよい。ＭｅＮＢとＳｅＮＢとの間のバックホール（ｂａｃｋｈａｕｌ）インターフェースは非−理想的（ｎｏｎ−ｉｄｅａｌ）であり（例えば、Ｘ２インターフェース）、これは、バックホールに相当な遅延があることから、１つのノードでの中央化されたスケジューリングが不可能であることを意味する。
【００６４】
図７Ａは、二重接続性に関連付いている基地局の制御平面（Ｃｏｎｔｒｏｌ  Ｐｌａｎｅ、Ｃ−Ｐｌａｎｅ）接続性を示す概念図であり、図７Ｂは、二重接続性に関連付いている基地局のユーザ平面（Ｕｓｅｒ  Ｐｌａｎｅ、Ｕ−Ｐｌａｎｅ）接続性を示す概念図である。
【００６５】
図７Ａは、特定端末の二重接続性に関連付いている基地局の制御平面（Ｃ−Ｐｌａｎｅ）接続性を示す図である。ＭｅＮＢは、Ｓ１−ＭＭＥを介してＭＭＥに接続された制御平面であり、ＭｅＮＢとＳｅＮＢは、Ｘ２−Ｃ（Ｘ２−制御平面）を介して互いに接続される。図７Ａに示すように、二重接続性のための基地局間（Ｉｎｔｅｒ−ｅＮＢ）の制御平面シグナリングがＸ２インターフェースシグナリングによって行われる。ＭＭＥへの制御平面シグナリングは、Ｓ１インターフェースシグナリングによって行われる。ＭｅＮＢとＭＭＥ間に、端末当たり１つのＳ１−ＭＭＥ接続のみが存在する。各基地局は、例えば、ＳＣＧに対するＳＣｅｌｌ（Ｓｅｃｏｎｄａｒｙ  Ｃｅｌｌ）を他の端末に提供する間に、いくつかの端末にはＰＣｅｌｌ（Ｐｒｉｍａｒｙ  Ｃｅｌｌ）を提供することのように、端末を独立的に扱う必要がある。特定端末の二重接続性に関連付いているそれぞれの基地局は、自身の無線リソースを有し、自身のセルの無線リソースを割り当てることに対して主な責任があり、ＭｅＮＢとＳｅＮＢとの間のそれぞれの調整に対してはＸ２インターフェースシグナリングを用いて行われる。
【００６６】
図７Ｂは、特定端末の二重接続性に関連付いている基地局のユーザ平面（Ｕｓｅｒ  ｐｌａｎｅ、Ｕ−Ｐｌａｎｅ）接続性を示す図である。ユーザ平面接続性は、ベアラーオプション設定に従う：１）ＭＣＧベアラーにおいて、ＭｅＮＢはＳ１−Ｕを介してＳ−ＧＷにユーザ平面接続され、ＳｅＮＢは、ユーザ平面データ伝送に関連付けられない。２）分割ベアラーにおいて、ＭｅＮＢはＳ１−Ｕを介してＳ−ＧＷにユーザ平面接続され、さらにＭｅＮＢとＳｅＮＢはＸ２−Ｕを介して相互接続され、３）ＳＣＧベアラーにおいて、ＳｅＮＢはＳ１−Ｕを介してＳ−ＧＷと直接接続される。ＭＣＧ及び分割ベアラーのみ設定された場合、ＳｅＮＢにはＳ１−Ｕ終端が存在しない。二重接続性において、マクロセルのグループからスモールセルのグループへのデータオフロードのためにはスモールセルの改善が要求される。スモールセルはマクロセルから離れて配置されてもよいので、端末の観点から、複数のスケジューラが異なるノードに分離して位置し、独立して動作する。これは、異なるスケジューリングノードが異なる無線リソース環境を経ることを意味し、各スケジューリングノードがそれぞれ異なるスケジューリング結果を有し得るということを意味する。
【００６７】
図８は、二重接続性のための無線プロトコルの構造に対する概念図である。
【００６８】
本実施例のＥ−ＵＴＲＡＮは、二重接続性（Ｄｕａｌ  Ｃｏｎｎｅｃｔｉｖｉｔｙ、ＤＣ）動作をサポートすることができ、これによって、ＲＲＣ接続（ＲＲＣ_ＣＯＮＮＥＣＴＥＤ）状態である複数の受信／送信（Ｒｘ／Ｔｘ）端末が、Ｘ２インターフェース上の非理想的バックホール（ｂａｃｋｈａｕｌ）を介して接続された２つの基地局に位置した２つの別個のスケジューラ（ｓｃｈｅｄｕｌｅｒ）によって無線リソースの提供を受けて活用するように構成される。特定の端末に対する二重接続性と関連する基地局は、２つの互いに異なる役割を仮定してもよい：すなわち、基地局は、ＭｅＮＢとして動作したり、またはＳｅＮＢとして動作することもできる。二重接続性において、端末は、一つのＭｅＮＢ及び一つのＳｅＮＢと接続され得る。
【００６９】
二重接続性（ＤＣ）動作において、特定のベアラ（ｂｅａｒｅｒ）が用いる無線プロトコルの構造は、ベアラがどのように設定されたかにかかっている。３つの案として、ＭＣＧ（Ｍａｓｔｅｒ  Ｃｅｌｌ  Ｇｒｏｕｐ）ベアラ８０１、分割ベアラ（ｓｐｌｉｔ  ｂｅａｒｅｒ）８０３及びＳＣＧ（Ｓｅｃｏｎｄａｒｙ  Ｃｅｌｌ  Ｇｒｏｕｐ）ベアラ８０５が存在する。３つの案は図８に示されている。ＳＲＢ（Ｓｉｇｎａｌｉｎｇ  Ｒａｄｉｏ  Ｂｅａｒｅｒ）は、常にＭＣＧベアラであり、ＭｅＮＢによって提供される無線リソースのみを用いる。ＭＣＧ（Ｍａｓｔｅｒ  Ｃｅｌｌ  Ｇｒｏｕｐ）ベアラ８０１は、二重接続性でのみＭｅＮＢリソースを用いるためにＭｅＮＢにのみ位置した無線プロトコルである。また、ＳＣＧ（Ｓｅｃｏｎｄａｒｙ  Ｃｅｌｌ  Ｇｒｏｕｐ）ベアラ８０５は、二重接続性においてＳｅＮＢリソースを用いるためにＳｅＮＢにのみ位置した無線プロトコルである。
【００７０】
特に、分割（ｓｐｌｉｔ）ベアラ８０３は、二重接続性においてＭｅＮＢ及びＳｅＮＢリソースの両方を用いるために、ＭｅＮＢ及びＳｅＮＢの両方に位置した無線プロトコルであり、分割ベアラ８０３は、一方向（ｄｉｒｅｃｔｉｏｎ）に対する１つのＰＤＣＰ（Ｐａｃｋｅｔ  Ｄａｔａ  Ｃｏｎｖｅｒｇｅｎｃｅ  Ｐｒｏｔｏｃｏｌ）エンティティ、２つのＲＬＣ（Ｒａｄｉｏ  Ｌｉｎｋ  Ｃｏｎｔｒｏｌ）及び２つのＭＡＣ（Ｍｅｄｉｕｍ  Ａｃｃｅｓｓ  Ｃｏｎｔｒｏｌ）エンティティを含む無線ベアラであってもよい。特に、二重接続性動作は、ＳｅＮＢによって提供された無線リソースを用いるように設定された少なくとも１つのベアラを有するものとしても説明できる。
【００７１】
図９は、ダウンリンクに対するＬＴＥプロトコル構造の概略図である。
【００７２】
図９にダウンリンクに対するＬＴＥプロトコル構造の概略図が示されている。また、伝送（ｔｒａｎｓｐｏｒｔ）フォーマット選択及び多重−アンテナ送信と関連して相違点があるが、アップリンク送信に関連するＬＴＥプロトコル構造は、図９に示されたダウンリンクに対するＬＴＥプロトコル構造とほぼ同一である。
【００７３】
ダウンリンクで送信されるデータは、ＳＡＥベアラ（ｂｅａｒｅｒ）９０１のうち１つ上でＩＰパケットの形態で進入する。無線インターフェース上の送信に先立ち、インカミング（ｉｎｃｏｍｉｎｇ）ＩＰパケットは、以下で要約され、次の部分でより具体的に説明される、多重プロトコルエンティティを介して通過する：
【００７４】
＊ＰＤＣＰ（Ｐａｃｋｅｔ  Ｄａｔａ  Ｃｏｎｖｅｒｇｅｎｃｅ  Ｐｒｏｔｏｃｏｌ）９０３は、無線インターフェース上での送信に必要なビットの数を減らすためにＩＰヘッダー圧縮を行う。ヘッダー圧縮メカニズムは、ＷＣＤＭＡ（登録商標）だけでなく他のいくつかの移動−通信標準で用いられる標準ヘッダー圧縮アルゴリズムである、ＲＯＨＣに基づく。ＰＤＣＰ９０３はまた、送信データの暗号化（ｃｉｐｈｅｒｉｎｇ）と無欠性保護（ｉｎｔｅｇｒｉｔｙ  ｐｒｏｔｅｃｔｉｏｎ）に責任がある。受信側で、ＰＤＣＰプロトコルは、対応暗号解読（ｄｅｃｉｐｈｅｒｉｎｇ）及び圧縮解除（ｄｅｃｏｍｐｒｅｓｓｉｏｎ）動作を行う。移動端末に設定された無線ベアラ毎に１つのＰＤＣＰエンティティが存在する。
【００７５】
＊ＲＬＣ（Ｒａｄｉｏ  Ｌｉｎｋ  Ｃｏｎｔｒｏｌ）９０５は、分割（ｓｅｇｍｅｎｔａｔｉｏｎ）／連接（ｃｏｎｃａｔｅｎａｔｉｏｎ）、再送信処理、及び上位層への順次伝達（ｉｎ−ｓｅｑｕｅｎｃｅ  ｄｅｌｉｖｅｒｙ）に責任がある。ＷＣＤＭＡ（登録商標）とは異なり、ＬＴＥ無線−接続−ネットワーク構造でノードの単一類型のみがあるので、ＲＬＣプロトコルはｅＮＢ（ｅＮｏｄｅＢ）に位置する。ＲＬＣ９０５は、無線ベアラの形態でＰＤＣＰ９０３にサービスを提供する。端末に対して設定された無線ベアラ毎に１つのＲＬＣエンティティが存在する。
【００７６】
＊ＭＡＣ（Ｍｅｄｉｕｍ  Ａｃｃｅｓｓ  Ｃｏｎｔｒｏｌ）９０７は、ハイブリッド−ＡＲＱ再送信とアップリンク及びダウンリンクスケジューリングを取り扱う。スケジューリング機能は、アップリンクとダウンリンクの両方に対して、セル当たり１つのＭＡＣエンティティを有する、ｅＮＢ内に位置する。ハイブリッド−ＡＲＱプロトコル部は、ＭＡＣプロトコルの送信端及び受信端の両方に存在する。ＭＡＣ９０７は、論理チャネル９０９の形態でＲＬＣ９０５にサービスを提供する。
【００７７】
＊物理層（Ｐｈｙｓｉｃａｌ  Ｌａｙｅｒ、ＰＨＹ）９１１は、符号化／復号化、変調／復調、多重−アンテナマッピング、及び他の通常的な物理層機能を取り扱う。物理層９１１は、伝送チャネル９１３の形態でＭＡＣレイヤ９０７にサービスを提供する。
【００７８】
ＭＡＣ９０７は、論理チャネル９０９の形態でＲＬＣ９０５にサービスを提供する。論理チャネル９０９は、伝送する情報の類型によって定義され、一般に、ＬＴＥシステムを動作させるのに必須な制御及び設定情報を送信するために用いられる制御チャネルと、ユーザデータのために用いられるトラフィック（ｔｒａｆｆｉｃ）チャネルとに分類される。
【００７９】
ＬＴＥに対して特定された論理−チャネル類型の集合は、次のものを含む：
【００８０】
●ＢＣＣＨ（Ｂｒｏａｄｃａｓｔ  Ｃｏｎｔｒｏｌ  Ｃｈａｎｎｅｌ）は、ネットワークからセル内の全ての移動端末へのシステム制御情報の送信に用いられる。システム接続に先立ち、例えば、システムの帯域幅のように、どのようにシステムが設定されたかを知るために、移動端末は、ＢＣＣＨ上で送信された情報を読み取る必要がある。
【００８１】
●ＰＣＣＨ（Ｐａｇｉｎｇ  Ｃｏｎｔｒｏｌ  Ｃｈａｎｎｅｌ）は、ネットワークにセルレベルでの位置が知られていない移動端末のページング、及びそれにより多重セルで送信される必要があるページングメッセージに用いられる。
【００８２】
●ＤＣＣＨ（Ｄｅｄｉｃａｔｅｄ  Ｃｏｎｔｒｏｌ  Ｃｈａｎｎｅｌ）は、移動端末への／移動端末からの制御情報の送信のために用いられる。このチャネルは、互いに異なるハンドオーバーメッセージのような、移動端末の個人設定に用いられる。
【００８３】
●ＭＣＣＨ（Ｍｕｌｔｉｃａｓｔ  Ｃｏｎｔｒｏｌ  Ｃｈａｎｎｅｌ）は、ＭＴＣＨの受信のために要求される制御情報の送信に用いられる。
【００８４】
●ＤＴＣＨ（Ｄｅｄｉｃａｔｅｄ  Ｔｒａｆｆｉｃ  Ｃｈａｎｎｅｌ）は、移動端末への／移動端末からのユーザデータの送信に用いられる。このチャネルは、全てのアップリンクの送信及び非−ＭＢＭＳダウンリンクユーザデータの送信のための論理チャネル類型である。
【００８５】
●ＭＴＣＨ（Ｍｕｌｔｉｃａｓｔ  Ｔｒａｆｆｉｃ  Ｃｈａｎｎｅｌ）は、ＭＢＭＳサービスのダウンリンク送信に用いられる。
【００８６】
図１０は、３つの互いに異なるアップリンクグラント（ｇｒａｎｔ）に対する２つの論理チャネルの優先順位化に対する図である。
【００８７】
ダウンリンクでのような同一のＭＡＣ多重化機能性を用いて、互いに異なる優先順位の多重論理チャネルが同一の伝送ブロックに多重化され得る。しかし、優先順位化がスケジューラの制御下にあり、具現に従うダウンリンクの場合とは異なり、アップリンク多重化は、端末で明確な規則の集合に従って行われる。すなわち、スケジューリンググラントは、端末の特定のアップリンク搬送波に適用されるものであって、端末内の特定の無線ベアラに適用されるものではない。無線−ベアラ−特定のスケジューリンググラントは、ダウンリンクでのシグナリングオーバーヘッドを増加させるはずであり、したがって、ＬＴＥでは、端末−当たり（ｐｅｒ−ｔｅｒｍｉｎａｌ）スケジューリングが用いられる。
【００８８】
最も単純な多重化規則は、論理チャネルを厳格な優先順位に従って処理することである。しかし、これは、低い−優先順位のチャネルの枯渇をもたらすことがある；送信バッファが空になるまで、全てのリソースが高い−優先順位のチャネルに与えられ得る。一般的に、運営者は、代わりに、低い−優先順位のサービスに対してもまた、少なくともいくつかの処理量（ｔｈｒｏｕｇｈｐｕｔ）を提供することを望む。したがって、ＬＴＥ端末でのそれぞれの論理チャネルに対して、優先順位値に加えて優先順位化されたデータレート（ｄａｔａ  ｒａｔｅ）が設定される。各論理チャネルは、それらの優先順位化されたデータレートに従って優先順位が減少する順序で処理され、これは、スケジューリングデータレートが少なくても優先順位化されたデータレートの和だけ大きい間は、枯渇を回避し得る。優先順位化されたデータレート以降、チャネルは、グラントが完全に用いられたり、バッファが空になるまで、厳格な優先順位に従って処理される。これは、図１０に示される。
【００８９】
図１０を参照して、論理チャネル１（Ｌｏｇｉｃａｌ  Ｃｈａｎｎｅｌ  １、ＬＣＨ１）の優先順位が論理チャネル２（ＬＣＨ２）の優先順位よりも高いと仮定してもよい。（Ａ）の場合、ＬＣＨ１の全ての優先順位化されたデータが送信され得、ＬＣＨ２の優先順位化されたデータの一部がスケジューリングされたデータレートの量まで送信され得る。（Ｂ）の場合、ＬＣＨ１の全ての優先順位化されたデータ及びＬＣＨ２の全ての優先順位化されたデータが送信され得る。（Ｃ）の場合、ＬＣＨ１の全ての優先順位化されたデータとＬＣＨ２の全ての優先順位化されたデータが送信され得、ＬＣＨ１のデータの一部がさらに送信され得る。
【００９０】
図１１は、バッファ状態及び残余−電力（ｐｏｗｅｒ−ｈｅａｄｒｏｏｍ）報告のシグナリングに対する図である。
【００９１】
適切な量のアップリンクリソースを割り当てるために、スケジューラは、端末からの送信を待機するデータの量に関する情報を必要とする。明らかに、送信するデータのない端末にアップリンクリソースを提供する必要がないもので、これは、単に端末が許容されたリソースを埋めるためにパディング（ｐａｄｄｉｎｇ）を行うことをもたらすことになるためである。したがって、少なくとも、スケジューラは、端末が送信するデータを有しているか、そして、グラント（ｇｒａｎｔ）が与えられなければならないか否かに対して知る必要があり、これは、スケジューリング要請として知ることができる。
【００９２】
多重−ビットスケジューリングは、より高いコストを必要とするため、スケジューリング要請に対する単一ビットの利用に対する同期がアップリンクオーバーヘッド（ｏｖｅｒｈｅａｄ）を低く維持しようとする必要によって付与される。単一のビットスケジューリング要請の結果、このような要請を受信するとき、端末でのバッファ状況に対する基地局での情報が制限される。異なるスケジューラの具現は、これを異なって処理する。一つの可能性は、端末が電力の制限なしに効果的にリソースを利用できるようにすることを保障するために、少量のリソースを割り当てることである。一旦端末がＵＬ−ＳＣＨ上で送信を開始すると、以下に議論されるように、バッファ状態と残余電力に関するより詳細な情報は、インバンド（ｉｎｂａｎｄ）ＭＡＣ制御メッセージを介して提供され得る。
【００９３】
既に有効なグラントを有する端末は、明らかに、アップリンクリソースを要請する必要がない。しかし、スケジューラが今後のサブフレームで各端末に許容するリソースの量を決定できるようにするために、バッファ状況及び電力利用可能性に関する情報が、以上で議論されたように、有用である。この情報は、ＭＡＣ制御要素を通じたアップリンク送信の一部としてスケジューラに提供される。ＭＡＣサブヘッダーのうち１つ内のＬＣＩＤフィールドは、図１１に示したように、バッファ状態報告の存在を示す予約された値に設定される。
【００９４】
スケジューリングの観点で、それぞれの論理チャネルに対するバッファ情報は、これが意味のあるオーバーヘッドを生じさせるとしても、有益である。論理チャネルは、したがって、論理−チャネルグループにグループ化され、報告はグループ単位で行われる。バッファ−状態報告内のバッファ−サイズフィールドは、論理−チャネルグループ内の全ての論理チャネルにわたって送信待機しているデータの量を示す。バッファ状態報告は、４個の全ての論理−チャネルグループまたはこれらのうち１つを代表し、次の事由によってトリガされ得る：
【００９５】
ｉ）現在送信バッファにあるデータよりも高い優先順位を有するデータの到着−すなわち、現在送信されるデータよりも高い優先順位を有する論理−チャネルグループ内のデータ−これは、スケジューリングの決定に影響を与えることがあるためである。
【００９６】
ｉｉ）サービングセルの変更、端末内の状況に関する情報を新しいサービングセルに提供するためにバッファ−状態報告が有用な場合である。
【００９７】
ｉｉｉ）タイマーによって制御されることによって周期的に。
【００９８】
ｉｖ）パディング（ｐａｄｄｉｎｇ）の代わりに。パディングの量が、バッファ−状態報告よりも大きいサイズのスケジューリングされた伝送ブロックのサイズにマッチングされる必要がある場合、バッファ−状態報告が挿入される。明らかに、可能であれば、パディングの代わりに、有用なスケジューリング情報に対する利用可能なペイロードを利用するほうがよい。
【００９９】
ＰＤＣＰエンティティ内の送信利用可能データ（Ｄａｔａ  ａｖａｉｌａｂｌｅ  ｆｏｒ  ｔｒａｎｓｍｉｓｓｉｏｎ）
【０１００】
ＭＡＣバッファ状態報告の目的で、ＵＥは、次のことだけでなく、ＰＤＣＰ制御ＰＤＵをＰＤＣＰエンティティ内の送信利用可能データとして見なすことができる：
【０１０１】
下位層にＰＤＵが提出されていないＳＤＵに対して、１）ＳＤＵがＰＤＣＰによってまだ処理されなかった場合であればＳＤＵ自身、または、２）ＳＤＵがＰＤＣＰによって処理された場合であればＰＤＵ。
【０１０２】
また、ＲＬＣ  ＡＭ上にマッピングされた無線ベアラに対して、ＰＤＣＰエンティティが以前に再確立手順を行った場合であれば、ＵＥは、次のことをＰＤＣＰエンティティ内の送信利用可能データとして見なすことができる：
【０１０３】
対応ＰＤＵがＰＤＣＰの再確立に先立ち、下位層にのみ提出されたＳＤＵに対して、対応ＰＤＵが下位層によって確認されていない最初のＳＤＵから開始して、ＰＤＣＰ状態報告によって成功裏に伝達されたものと指示されたＳＤＵを除いて、受信された場合に：１）ＰＤＣＰによってまだ処理されていない場合、ＳＤＵ、または、２）ＰＤＣＰによって処理された場合、ＰＤＵ。
【０１０４】
ＲＬＣエンティティ内の送信利用可能データ
【０１０５】
ＭＡＣバッファ状態報告の目的で、端末は、次のことをエンティティでの送信利用可能データとして見なすこともできる：１）ＲＬＣデータＰＤＵ（Ｐｒｏｔｏｃｏｌ  Ｄａｔａ  Ｕｎｉｔ）にまだ含まれていないＲＬＣ  ＳＤＵ（Ｓｅｒｖｉｃｅ  Ｄａｔａ  Ｕｎｉｔ）、またはこれらのセグメント（ｓｅｇｍｅｎｔ）；２）再送信（ＲＬＣ  ＡＭ）のために保留中（ｐｅｎｄｉｎｇ）であるＲＬＣデータＰＤＵ、またはこれらの部分。
【０１０６】
また、ＳＴＡＴＵＳ  ＰＤＵがトリガされ、ｔ−ＳｔａｔｕｓＰｒｏｈｉｂｉｔが動作中ではないかまたは満了した場合、端末は、次の送信機会に送信されるＳＴＡＴＵＳ  ＰＤＵのサイズを予測することもでき、これを、ＲＬＣ層での送信利用可能データとして見なすこともできる。
【０１０７】
バッファ状態報告（Ｂｕｆｆｅｒ  Ｓｔａｔｕｓ  Ｒｅｐｏｒｔｉｎｇ、ＢＳＲ）
【０１０８】
バッファ状態報告（ＢＳＲ）手順は、サービングｅＮＢに、端末のＵＬ（Ｕｐｌｉｎｋ）バッファ内の送信利用可能データ（Ｄａｔａ  Ａｖａｉｌａｂｌｅ  ｆｏｒ  Ｔｒａｎｓｍｉｓｓｉｏｎ、ＤＡＴ）の量に関する情報を提供するために用いられる。ｐｅｒｉｏｄｉｃ  ＢＳＲ−Ｔｉｍｅｒ及びｒｅｔｘＢＳＲ−Ｔｉｍｅｒの２つのタイマーを設定することによって、そして、それぞれの論理チャネルに対して、ＬＣＧ（Ｌｏｇｉｃａｌ  Ｃｈａｎｎｅｌ  Ｇｒｏｕｐ）に論理チャネルを割り当てるｌｏｇｉｃａｌ  Ｃｈａｎｎｅｌ  Ｇｒｏｕｐを付加的にシグナリングすることによって、ＲＲＣはＢＳＲ報告を制御することもできる。
【０１０９】
バッファ状態報告手順に対して、端末は、サスペンド（ｓｕｓｐｅｎｄ）されていない全ての無線ベアラを考慮してもよく、サスペンドされた無線ベアラを考慮してもよい。バッファ状態報告（ＢＳＲ）は、次のイベントのうち任意のイベントが発生する場合にトリガされ得る：
【０１１０】
−ＬＣＧに属する論理チャネルに対するＵＬデータが、ＲＬＣエンティティまたはＰＤＣＰエンティティで送信利用可能になり、既に送信利用可能なデータに対して任意のＬＣＧに属する論理チャネルの優先順位よりも高い優先順位の論理チャネルに属するデータ、または、ＬＣＧに属する任意の論理チャネルに対する送信利用可能データがない場合、この場合、ＢＳＲが、以下で“正規（Ｒｅｇｕｌａｒ）ＢＳＲ”と呼ばれる；
【０１１１】
−ＵＬリソースが割り当てられ、パディング（ｐａｄｄｉｎｇ）ビットの数字が、バッファ状態報告ＭＡＣ制御エレメントにそのサブヘッダー（ｓｕｂｈｅａｄｅｒ）を加えた大きさと同一または大きい場合、この場合、ＢＳＲが、以下で“パディング（Ｐａｄｄｉｎｇ）ＢＳＲ”と呼ばれる；
【０１１２】
−ｒｅｔｘＢＳＲ−Ｔｉｍｅｒが満了し、端末が、ＬＣＧに属する任意の論理チャネルに対する送信利用可能データを有する場合、この場合、ＢＳＲが、以下で“正規（Ｒｅｇｕｌａｒ）ＢＳＲ”と呼ばれる；
【０１１３】
−ｐｅｒｉｏｄｉｃＢＳＲ−Ｔｉｍｅｒが満了した場合、この場合、ＢＳＲが、以下で“周期的（Ｐｅｒｉｏｄｉｃ）ＢＳＲ”と呼ばれる。
【０１１４】
ＢＳＲが送信され得る時刻に多重イベントがＢＳＲをトリガする場合にも、ＭＡＣ  ＰＤＵは、最大１つのＭＡＣ  ＢＳＲ制御エレメントを含むこともでき、この場合、正規ＢＳＲ及び周期的ＢＳＲがパディングＢＳＲに優先する。
【０１１５】
任意のＵＬ−ＳＣＨ上の新しいデータの送信に対する許容（ｇｒａｎｔ）の指示（ｉｎｄｉｃａｔｉｏｎ）の時に、端末はｒｅｘｔＢＳＲ−Ｔｉｍｅｒを再開始してもよい。
【０１１６】
このサブフレームに対するＵＬグラント（ｇｒａｎｔ）が、全てのペンディング（ｐｅｎｄｉｎｇ）中の送信利用可能データを収容（ａｃｃｏｍｍｏｄａｔｅ）することができるが、ＢＳＲ  ＭＡＣ制御エレメント及び当該サブヘッダーを追加的に収容するには十分ではない場合、全てのトリガされたＢＳＲは取り消されることもできる。ＢＳＲが送信のためのＭＡＣ  ＰＤＵに含まれた場合、全てのＢＳＲは取り消される。
【０１１７】
端末は、ＴＴＩ内で最大１つの正規／周期的ＢＳＲを送信することができる。端末がＴＴＩ内で複数のＭＡＣ  ＰＤＵを送信するように要請された場合、正規／周期的ＢＳＲを含まない任意のＭＡＣ  ＰＤＵ内にパディングＢＳＲを含むこともできる。
【０１１８】
ＴＴＩ内で送信された全てのＢＳＲは、常に、当該ＴＴＩに対してＭＡＣ  ＰＤＵが全て構成された後のバッファ状態を反映する。それぞれのＬＣＧは、ＴＴＩ当たり１つのバッファ状態値を報告することができ、この値は、当該ＬＣＧに対するバッファ状態を報告する全てのＢＳＲ内で報告され得る。
【０１１９】
図１２は、二重接続性のための無線プロトコル構造の概念図である。
【０１２０】
端末のＰＤＣＰ及びＲＬＣメモリでバッファされたデータの量を示すことによって、基地局がアップリンク無線リソースを互いに異なる端末に割り当てることを助けるために、端末は、基地局にバッファ状態報告（Ｂｕｆｆｅｒ  Ｓｔａｔｕｓ  Ｒｅｐｏｒｔ、ＢＳＲ）を伝送することができる。ＢＳＲは、上述した従来技術で説明したように、タイマー及びイベントによってトリガされてもよい。例えば、タイマー満了時にＢＳＲをトリガするタイマー、すなわち、ｒｅｔｘＢＳＲ−Ｔｉｍｅｒ及びｐｅｒｉｏｄｉｃＢＳＲ−Ｔｉｍｅｒがある。
【０１２１】
しかし、ＬＴＥＲｅｌ−１２において、図１２に示されたように、例えば、ＵＥがＭｅＮＢ１２０１とＳｅＮＢ１２０３の両方に接続された、二重接続性に対する研究が進んでいる。同図において、ＭｅＮＢ１２０１とＳｅＮＢ１２０３との間のインターフェースは、Ｘｎインターフェース１２０５と呼ばれる。Ｘｎインターフェース１２０５は非理想的に仮定される；例えば、Ｘｎインターフェースでの遅延は最大６０ｍｓであってもよいが、これに制限されるものではない。
【０１２２】
ＭｅＮＢ１２０１は、ＶｏＩＰ、ストリーミングデータ、またはシグナリングデータのような他の類型のトラフィックの送信を担当する一方、ＳｅＮＢ１２０３は、ＢＥ（Ｂｅｓｔ  Ｅｆｆｏｒｔ）類型のトラフィックの送信を担当する。二重接続性を支援するために、様々なプロトコル構造が研究され、潜在的構造が図１２に示されている。この構造において、ＰＤＣＰ１２０７及びＲＬＣ１２０９エンティティは、互いに異なるネットワークノードに、例えば、ＰＤＣＰエンティティはＭｅＮＢに、ＲＬＣエンティティはＳｅＮＢに位置する。
【０１２３】
端末側１２１１において、プロトコルの構造は、ＭＡＣエンティティが共通的にセットアップされるが、それぞれのｅＮＢに対してサブエンティティ（ｓｕｂ  ｅｎｔｉｔｙ）が存在すること以外は、従来の技術と同一である。すなわち、ＭｅＮＢのためのＭ−ＭＡＣ１２１３とＳｅＮＢのためのＳ−ＭＡＣ１２１５がそれである。これは、各スケジューリングノードが異なるノードに位置し、２つのノードは非−理想的バックホールで接続されているためである。二重接続性において、各論理チャネルは、Ｍ−ＭＡＣ及びＳ−ＭＡＣのそれぞれにマッピングされる。
【０１２４】
この場合、上述したような構造（即ち、Ｍ−ＭＡＣ及びＳ−ＭＡＣ）は、深刻な問題を引き起こすことがある。
【０１２５】
なによりも、一つのＭＡＣエンティティ内で他の論理チャネルよりも高い優先順位の論理チャネルが、共通ＭＡＣエンティティ内では高い優先順位の論理チャネルではない場合があり得る。例えば、降順の優先順位を有する５個の論理チャネルＬ１，Ｌ２，Ｌ３，Ｌ４及びＬ５、すなわち、４個の論理チャネルのうち、Ｌ１は最も高い優先順位を、Ｌ５は最も低い優先順位を有する、と仮定する。もし、Ｌ１及びＬ２がＭ−ＭＡＣ１２１３にマッピングされ、Ｌ３，Ｌ４及びＬ５がＳ−ＭＡＣ１２１５にマッピングされる場合、Ｌ３は、Ｓ−ＭＡＣ１２１５にマッピングされた他のどの論理チャネルよりも高い優先順位を有するが、Ｌ３は、端末内で最も高い優先順位の論理チャネルではない。
【０１２６】
従来技術として、ＢＳＲは、以下のいずれかの状況でトリガされる。
【０１２７】
ｉ）バッファが空になっていない論理チャネルよりも高い優先順位を有する論理チャネルのためのデータが到着した場合；
【０１２８】
ｉｉ）空になっている端末のバッファに対してデータが利用可能になった場合；
【０１２９】
ｉｉｉ）ｒｅｔｘＢＳＲ−Ｔｉｍｅｒが満了し、端末のバッファに相変らずデータが存在する場合；
【０１３０】
ｉｖ）ｐｅｒｉｏｄｉｃＢＳＲ−Ｔｉｍｅｒが満了した場合；または
【０１３１】
ｖ）ＭＡＣ  ＰＤＵの残った空間がＢＳＲを収容可能な場合。
【０１３２】
ＢＳＲ機能が一般的に端末で行われる点を考慮すると、もし、論理チャネルＬ１のためのバッファが空でない状態で論理チャネルＬ３のためのデータが到着した場合、ＢＳＲはトリガされない。しかし、二重接続性において、アップリンクスケジューリングは、互いに異なるｅＮＢであるＭｅＮＢ及びＳｅＮＢで行われるので、同じサービングによってサービングされる論理チャネルにおける論理チャネルの優先順位を比較してＢＳＲをトリガするメカニズムが要求される。
【０１３３】
更に他の問題は、従来技術では、正規ＢＳＲ（ｒｅｇｕｌａｒ  ＢＳＲ）が一つのＭＡＣエンティティでトリガされた場合、正規ＢＳＲがどのｅＮＢに伝送されるかが不明であるという点である。正規ＢＳＲは、ＭｅＮＢに伝送されるか、それともＳｅＮＢに伝送されるか？。
【０１３４】
図１３は、本発明の実施例に係るそれぞれの基地局に対するバッファ状態のトリガリング及び報告に対する概念図である。
【０１３５】
端末には、２つのＭＡＣエンティティ、すなわち、Ｍ−ＭＡＣ及びＳ−ＭＡＣがある。Ｍ−ＭＡＣは、端末とＭｅＮＢとの間の伝送を担当し、Ｓ−ＭＡＣは、端末とＳｅＮＢとの間の伝送を担当する。
【０１３６】
二重接続性（ｄｕａｌ  ｃｏｎｎｅｃｔｉｖｉｔｙ）は、端末が第１ＢＳと第２ＢＳに同時に接続され得ることを意味する。第１ＢＳはマスターｅＮＢ（ＭｅＮＢ）であり、第２ＢＳは補助ｅＮＢ（ＳｅＮＢ）であってもよく、その反対であってもよい。
【０１３７】
ＭＣＧに対する論理チャネルはＭ−ＭＡＣにマッピングされ、ＳＣＧに対する論理チャネルはＳ−ＭＡＣにマッピングされる。ＭＣＧは、ＭｅＮＢと関連付けられているサービングセルのグループであって、ＰＣｅｌｌ及び付加的に１つ以上のＳＣｅｌｌを含む。また、ＳＣＧは、ＳｅＮＢと関連付けられているサービングセルのグループであって、特別（ｓｐｅｃｉａｌ）ＳＣｅｌｌ及び付加的に１つ以上のＳＣｅｌｌを含む。ＭｅＮＢは、少なくともＳ１−ＭＭＥ（制御平面のためのＳ１）を終端するｅＮＢであり、ＳｅＮＢは、ＭｅＮＢではないが、端末のための追加無線リソースを提供するｅＮＢである。
【０１３８】
二重接続性で、ハンドオーバー（ｈａｎｄｏｖｅｒ）の可能性を低下させるために、ＭＣＧ内のスケジューリング無線ベアラ（Ｓｃｈｅｄｕｌｉｎｇ  Ｒａｄｉｏ  Ｂｅａｒｅｒ、ＳＲＢ）または他のＤＲＢを維持すると同時に、高い処理量を提供するために、いくつかのデータ無線ベアラ（Ｄａｔａ  Ｒａｄｉｏ  Ｂｅａｒｅｒ、ＤＲＢ）は、ＳＣＧにオフロード（ｏｆｆｌｏａｄ）され得る。ＭＣＧは、周波数ｆ１を介してＭｅＮＢによって動作し、ＳＣＧは、周波数ｆ２を介してＳｅＮＢによって動作する。周波数ｆ１及びｆ２は同一であってもよい。ＭｅＮＢとＳｅＮＢとの間のバックホール（ｂａｃｋｈａｕｌ）インターフェースは非−理想的（ｎｏｎ−ｉｄｅａｌ）であり、これは、バックホールにかなりの遅延があるため、一つのノードでの中央化されたスケジューリングが不可能であることを意味する。
【０１３９】
端末の他のＭＡＣエンティティの機能は、特定されない限り、独立して動作する。無線ベアラは、ＲＲＣシグナリングとＭＣＧ及び／又はＳＣＧにマッピングされる。論理チャネル識別子は、ＣＧ別に独立して割り当てられる。ＬＣＧは、ＭＡＣエンティティ別に定義される。
【０１４０】
端末は、１つ以上の論理チャネルを含む複数の論理チャネルセットを構成することができる。ここで、複数の論理チャネルセットは、第１ＢＳにデータを伝送する第１論理チャネルセット、及び第２ＢＳにデータを伝送する第２論理チャネルセットを含む（Ｓ１３０１）。
【０１４１】
好ましくは、第１論理チャネルセットは１つ以上の論理チャネルグループを含み、１つ以上の論理チャネルグループはＭ−ＭＡＣにマッピングされてもよい。そして、第２論理チャネルセットは１つ以上の論理チャネルグループを含み、１つ以上の論理チャネルグループはＳ−ＭＡＣにマッピングされてもよい。
【０１４２】
第１論理チャネルセットに属する第１論理チャネルに対するデータが受信される場合（Ｓ１３０３）、端末は、第１論理チャネルセットの優先順位をチェックし得る（Ｓ１３０５）。
【０１４３】
好ましくは、以下の全てのイベントが発生した場合
【０１４４】
ｉ）対応するＲＬＣエンティティまたは対応するＰＤＣＰエンティティで、アップリンクデータが、Ｍ−ＭＡＣにマッピングされた１つ以上の論理的チャネルグループに属する第１論理チャネルを介して伝送するように利用可能になる場合；そして、
【０１４５】
ｉｉ）予め定義されたトリガ基準が満足される場合、端末は、正規ＢＳＲをトリガすることがきる（Ｓ１３０７）。
【０１４６】
これは、Ｍ−ＭＡＣにマッピングされた１つ以上の論理チャネルグループに属する第１論理チャネルに対するアップリンクデータが、相応するＲＬＣエンティティ又は相応するＰＤＣＰエンティティで送信利用可能になると、第１論理チャネルにマッピングされたＭＡＣエンティティは、予め定義されたトリガ基準が満足されるか否かをチェックすることを意味する。
【０１４７】
好ましくは、第１論理チャネルが、第２論理チャネルセットに属する第２論理チャネルよりも低い優先順位を有し、第１論理チャネルが第１論理チャネルセットのうち最も高い優先順位を有する場合、予め定義されたトリガ基準が満足され得る。
【０１４８】
これは、Ｍ−ＭＡＣエンティティにマッピングされた１つ以上の論理チャネルグループに属し、伝送可能なアップリンクデータを含む第１論理チャネルが、Ｍ−ＭＡＣエンティティにマッピングされた１つ以上の論理チャネルグループに属し、既に送信可能なデータを含む他の論理チャネルよりも高い優先順位を有することを意味する。論理チャネルの優先順位は、同じＭＡＣ  ｅｎｔｉｔｙにマッピングされた論理的チャネルグループに属する論理的チャネル同士を比較することを意味する。
【０１４９】
ステップＳ１３０７の後、第１ＢＳにバッファ状態報告がトリガされ、アップリンクデータが第１ＢＳに対して送信利用可能になる場合、端末は、第１ＢＳにバッファ状態報告を伝送する。または、第２ＢＳにバッファ状態報告がトリガされ、アップリンクデータが第２ＢＳに対して送信利用可能になる場合、端末は、第２ＢＳにバッファ状態報告を伝送する（Ｓ１３０９）。
【０１５０】
ＲＬＣエンティティまたはＰＤＣＰエンティティでアップリンクデータが送信利用可能になる場合、端末は、ＭｅＮＢ及びＳｅＮＢのうちどのｅＮＢに端末がアップリンクデータを伝送しなければならないかをチェックすることができる。
【０１５１】
ＭｅＮＢにデータが伝送されるものとチェックされた場合、端末は、Ｍ−ＭＡＣで正規ＢＳＲをトリガする。または、ＳｅＮＢにデータが伝送されるものとチェックされた場合、端末は、Ｓ−ＭＡＣで正規ＢＳＲをトリガする。
【０１５２】
正規ＢＳＲをトリガするＭＡＣエンティティは、該当するｅＮＢに正規ＢＳＲを伝送する。
【０１５３】
Ｍ−ＭＡＣが正規ＢＳＲをトリガすると、Ｍ−ＭＡＣは、正規ＢＳＲをＭｅＮＢに伝送する。または、Ｓ−ＭＡＣが正規ＢＳＲをトリガすると、Ｓ−ＭＡＣは、正規ＢＳＲをＳｅＮＢに伝送する。
【０１５４】
バッファ状態報告手順において、端末は、中断（ｓｕｓｐｅｎｄｅｄ）されていないＭＡＣエンティティにマッピングされた全ての無線ベアラを考慮しなければならず、中断された無線ベアラを考慮することもできる。
【０１５５】
図１４は、本発明の実施例に係るそれぞれの基地局に対するバッファ状態のトリガリング及び報告に対する概念図である。
【０１５６】
ネットワークは、端末と２つのＭＡＣエンティティ、すなわち、Ｍ−ＭＡＣ及びＳ−ＭＡＣを設定する。端末は、降順でＰ１，Ｐ２，Ｐ３，Ｐ４及びＰ５の優先順位を有する、すなわち、（高い）Ｐ１＞Ｐ２＞Ｐ３＞Ｐ４＞Ｐ５（低い）、５個の論理チャネルＬ１，Ｌ２，Ｌ３，Ｌ４及びＬ５をネットワークによって設定を受けることができる。
【０１５７】
５個の論理チャネルのうち、Ｌ１及びＬ２はＭ−ＭＡＣにマッピングされ、Ｌ３，Ｌ４及びＬ５はＳ−ＭＡＣにマッピングされる。Ｌ１及びＬ４には、既に送信利用可能なデータが存在する（Ｓ１４０１）。
【０１５８】
アップリンクデータが論理チャネルＬ３を介して送信利用可能になる（Ｓ１４０３）。
【０１５９】
論理チャネルＬ３がＳ−ＭＡＣにマッピングされるので、Ｓ−ＭＡＣは、予め定義されたトリガ基準が満足されるか否かをチェックする：Ｌ４がＳ−ＭＡＣにマッピングされ、データがＬ４に対して既に送信利用可能であるので、Ｓ−ＭＡＣは、論理チャネルＬ３の優先順位、すなわち、Ｐ３を、論理チャネルＬ４の優先順位、すなわち、Ｐ４と比較する。論理チャネルＬ５は、送信利用可能データがないので、それらが同じＳ−ＭＡＣにマッピングされるにもかかわらず、Ｓ−ＭＡＣは、Ｐ３をＰ５と比較しない（Ｓ１４０５）。
【０１６０】
Ｐ３がＰ４よりも高い優先順位であるので（Ｓ１４０７）、端末は、予め定義されたトリガ基準が満足されたものと考える。端末は、正規ＢＳＲをトリガする（Ｓ１４０９）。
【０１６１】
図１５は、本発明の実施例に係る通信装置のブロック図である。
【０１６２】
図１５に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【０１６３】
図１５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【０１６４】
特に、図１５は、ネットワークから要請メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【０１６５】
また、図１５は、端末に要請メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【０１６６】
本発明は、本発明の特徴又は範囲を逸脱しない範囲で他の特定の形態に具体化できるということは、当業者にとって自明である。したがって、本発明の範囲は、添付の請求項の合理的解釈によって決定されなければならず、本発明の等価的範囲内での全ての変更は本発明の範囲に含まれる。
【０１６７】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、または、他の実施例の対応する構成又は特徴に置換されてもよい。特許請求の範囲において明示的な引用関係にない請求項を結合して実施例を構成したり、出願後の補正によって新しい請求項として含めたりできるということは明らかである。
【０１６８】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。‘ｅＮＢ’は、‘固定局（ｆｉｘｅｄ  ｓｔａｔｉｏｎ）’、‘ＮｏｄｅＢ’、‘基地局（ＢＳ）’、アクセスポイントなどの用語に代替されてもよい。
【０１６９】
上述した実施例は、例えば、ハードウェア、ファームウエア、ソフトウェアまたはこれらの組み合わせのような様々な手段によって具現されてもよい。
【０１７０】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１７１】
ファームウエアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１７２】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１７３】
上述した方法は、３ＧＰＰ  ＬＴＥシステムに適用される例示を中心に説明されたが、本発明は、３ＧＰＰ  ＬＴＥシステムのみならず様々な無線通信システムに適用可能である。
【図１】
2016529854.tif 000003
【図２Ａ】
2016529854.tif 000004
【図２Ｂ】
2016529854.tif 000005
【図３】
2016529854.tif 000006
【図４】
2016529854.tif 000007
【図５】
2016529854.tif 000008
【図６】
2016529854.tif 000009
【図７Ａ】
2016529854.tif 000010
【図７Ｂ】
2016529854.tif 000011
【図８】
2016529854.tif 000012
【図９】
2016529854.tif 000013
【図１０】
2016529854.tif 000014
【図１１】
2016529854.tif 000015
【図１２】
2016529854.tif 000016
【図１３】
2016529854.tif 000017
【図１４】
2016529854.tif 000018
【図１５】
2016529854.tif 000019
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
第１基地局及び第２基地局を含む無線通信システムで動作する端末に対する方法であって、
前記第１基地局に第１データを伝送する第１論理チャネルセット及び前記第２基地局に第２データを伝送する第２論理チャネルセットを含む複数の論理チャネルセットを設定し、前記第１論理チャネルセット及び前記第２論理チャネルセットのそれぞれは１つ以上の論理チャネルを含むステップと、
前記第１論理チャネルセット内に既に送信可能なデータを有している論理チャネルよりも高い優先順位を有する論理チャネルに対して前記第１データが送信可能になると、前記第１基地局への第１バッファ状態報告をトリガするステップと、
前記第２論理チャネルセット内に既に送信可能なデータを有している論理チャネルよりも高い優先順位を有する論理チャネルに対して前記第２データが送信可能になると、前記第２基地局への第２バッファ状態報告をトリガするステップとを含む、方法。
【請求項２】
前記端末の第１ＭＡＣ（Ｍｅｄｉｕｍ  Ａｃｃｅｓｓ  Ｃｏｎｔｒｏｌ）エンティティによって前記第１バッファ状態報告をトリガするステップと、
前記第１基地局に前記第１バッファ状態報告を伝送するステップとをさらに含む、請求項１に記載の方法。
【請求項３】
前記端末の第２ＭＡＣエンティティによって前記第２バッファ状態報告をトリガするステップと、
前記第２基地局に前記第２バッファ状態報告を伝送するステップとをさらに含む、請求項１に記載の方法。
【請求項４】
第１基地局及び第２基地局を含む無線通信システムの端末であって、
無線周波数モジュールと、
前記無線周波数モジュールを制御するように構成されたプロセッサとを含み、
前記プロセッサは、前記第１基地局に第１データを伝送する第１論理チャネルセット及び前記第２基地局に第２データを伝送する第２論理チャネルセットを含む複数の論理チャネルセットを設定するように構成され、前記第１論理チャネルセット及び前記第２論理チャネルセットのそれぞれは１つ以上の論理チャネルを含み、前記プロセッサは、前記第１論理チャネルセット内に既に送信可能なデータを有している論理チャネルよりも高い優先順位を有する論理チャネルに対して前記第１データが送信可能になると、前記第１基地局への第１バッファ状態報告をトリガし、前記第２論理チャネルセット内に既に送信可能なデータを有している論理チャネルよりも高い優先順位を有する論理チャネルに対して前記第２データが送信可能になると、前記第２基地局への第２バッファ状態報告をトリガするように構成された、端末。
【請求項５】
前記プロセッサは、前記端末の第１ＭＡＣ（Ｍｅｄｉｕｍ  Ａｃｃｅｓｓ  Ｃｏｎｔｒｏｌ）エンティティによって前記第１バッファ状態報告をトリガし、前記第１基地局に前記第１バッファ状態報告を伝送するようにさらに構成された、請求項５に記載の端末。
【請求項６】
前記プロセッサは、前記端末の第２ＭＡＣエンティティによって前記第２バッファ状態報告をトリガし、前記第２基地局に前記第２バッファ状態報告を伝送するようにさらに構成された、請求項５に記載の端末。
【請求項７】
前記第１論理チャネルセットに含まれた論理チャネルは第１ＭＡＣエンティティにマッピングされ、前記第２論理チャネルセットに含まれた論理チャネルは第２ＭＡＣエンティティにマッピングされる、請求項１に記載の方法。
【請求項８】
前記第１論理チャネルセット及び前記第２論理チャネルセットのそれぞれにおいてバッファ状態報告をトリガするための論理チャネルの優先順位をチェックするステップをさらに含む、請求項１に記載の方法。
【請求項９】
前記第１論理チャネルセットに含まれた論理チャネルは第１ＭＡＣエンティティにマッピングされ、前記第２論理チャネルセットに含まれた論理チャネルは第２ＭＡＣエンティティにマッピングされる、請求項５に記載の端末。
【請求項１０】
前記プロセッサは、前記第１論理チャネルセット及び前記第２論理チャネルセットのそれぞれにおいてバッファ状態報告をトリガするための論理チャネルの優先順位をチェックするようにさらに構成された、請求項５に記載の端末。
【手続補正２】
【補正対象書類名】明細書
【補正対象項目名】００１３
【補正方法】変更
【補正の内容】
【００１３】
本発明について前述した一般的な説明と後述する詳細な説明は例示的なものであり、請求項に記載された発明に対する追加的な説明のためのものである。
本発明は、例えば以下を提供する：
（項目１）
第１基地局及び第２基地局を含む無線通信システムで動作する端末のための方法であって、
前記第１基地局にデータを伝送する第１論理チャネルセット及び前記第２基地局にデータを伝送する第２論理チャネルセットを含む複数の論理チャネルセットを設定するステップであって、前記第１及び第２論理チャネルセットのそれぞれは１つ以上の論理チャネルを含む、ステップと、
前記第１論理チャネルセットに属する第１論理チャネルに関するデータを受信するステップと、
前記第１論理チャネルが、前記第１論理チャネルセットにおいてデータが送信利用可能な論理チャネルのうち最も高い優先順位を有する場合、前記第１基地局へのバッファ状態報告をトリガするステップとを含む、方法。
（項目２）
前記第１論理チャネルは、前記第２論理チャネルセットに属する第２論理チャネルよりも低い優先順位を有する、項目１に記載の方法。
（項目３）
アップリンクデータが前記第１基地局に対して送信利用可能になると、前記第１基地局に前記バッファ状態報告を伝送するステップをさらに含む、項目１に記載の方法。
（項目４）
前記第１論理チャネルセットは１つ以上の論理チャネルグループを含み、前記第１論理チャネルは、前記第１論理チャネルセットの前記論理チャネルグループのいずれか１つに属し、前記データが送信利用可能な論理チャネルのうち最も高い優先順位を有する、項目１に記載の方法。
（項目５）
第１基地局及び第２基地局を含む無線通信システムの端末であって、
無線周波数モジュールと、
前記無線周波数モジュールを制御するように構成されたプロセッサとを含み、
前記プロセッサは、前記第１基地局にデータを伝送する第１論理チャネルセット及び前記第２基地局にデータを伝送する第２論理チャネルセットを含む複数の論理チャネルセットを設定するように構成され、前記第１及び第２論理チャネルセットのそれぞれは１つ以上の論理チャネルを含み、前記プロセッサは、前記第１論理チャネルセットに属する第１論理チャネルに関するデータを受信し、前記第１論理チャネルが、前記第１論理チャネルセットにおいてデータが送信利用可能な論理チャネルのうち最も高い優先順位を有する場合、前記第１基地局へのバッファ状態報告をトリガするように構成された、端末。
（項目６）
前記第１論理チャネルは、前記第２論理チャネルセットに属する第２論理チャネルよりも低い優先順位を有する、項目５に記載の端末。
（項目７）
前記プロセッサは、アップリンクデータが前記第１基地局に対して送信利用可能になると、前記第１基地局に前記バッファ状態報告を伝送するようにさらに構成された、項目５に記載の端末。
（項目８）
前記第１論理チャネルセットは１つ以上の論理チャネルグループを含み、前記第１論理チャネルは、前記第１論理チャネルセットの前記論理チャネルグループのいずれか１つに属し、前記データが送信利用可能な論理チャネルのうち最も高い優先順位を有する、項目５に記載の端末。
【手続補正３】
【補正対象書類名】明細書
【補正対象項目名】０１２５
【補正方法】変更
【補正の内容】
【０１２５】
なによりも、一つのＭＡＣエンティティ内で他の論理チャネルよりも高い優先順位の論理チャネルが、共通ＭＡＣエンティティ内では高い優先順位の論理チャネルではない場合があり得る。例えば、降順の優先順位を有する５個の論理チャネルＬ１，Ｌ２，Ｌ３，Ｌ４及びＬ５、すなわち、５個の論理チャネルのうち、Ｌ１は最も高い優先順位を、Ｌ５は最も低い優先順位を有する、と仮定する。もし、Ｌ１及びＬ２がＭ−ＭＡＣ１２１３にマッピングされ、Ｌ３，Ｌ４及びＬ５がＳ−ＭＡＣ１２１５にマッピングされる場合、Ｌ３は、Ｓ−ＭＡＣ１２１５にマッピングされた他のどの論理チャネルよりも高い優先順位を有するが、Ｌ３は、端末内で最も高い優先順位の論理チャネルではない。
【国際調査報告】
2016529854.tif 000020
2016529854.tif 000021
2016529854.tif 000022